(57)【要約】所望する場所に手軽に持ち運べると共に、浄水装置の構成を簡易化し、かつ「ミネラル成分を含むおいしい水」を得ることができる浄水装置であって、上端開口の箱型本体と、該箱型本体に開閉自在に設けられた蓋体とから成る可搬式のハウジングに内設されていると共に、蛇口に接続具を介して脱着する水道水供給管に接続すると共に、第１及び第２の流路切替え弁を有する１つの流路に設けられた第１浄水槽及び前記第２浄水槽と、さらに第２浄水槽の下流に配置され、かつミネラル添加剤を有するミネラル添加槽とを含み、イオン交換樹脂の再生時、第２浄水槽側の前記第１切換え弁を「閉」に切り換えると共に、排出管側の第２切換え弁を「開」の状態に切り換え、また第１浄水槽に塩を投入するか又は塩水を入れるかのいずれかにより、該第１浄水槽内を再生水の状態にし、再生後、水道水の水圧を利用して第１浄水槽内に水道水を流しながら排出管を介して第１浄水槽内の再生水を排出する構成である。
2017109813.tif 000002
【特許請求の範囲】
【請求項１】
原水としての水道水を、第１浄水槽内のイオン交換樹脂に通過させる第１濾過工程と、第１濾過工程で濾過された水道水を、前記第１浄水槽の下流に配置された第２浄水槽内の活性炭又は中空糸膜のいずれかに通過させる第２濾過工程とを含み、所望時に前記第１浄水槽内を塩水で所要時間満たして前記イオン交換樹脂を再生させる再生工程を加味した浄水方法に於いて、前記浄水方法に用いる浄水装置は、上端開口の箱型本体と、該箱型本体に開閉自在に設けられた蓋体とから成る可搬式のハウジングに内設されていると共に、前記水道水の蛇口に接続具を介して脱着する水道水供給管に接続すると共に、第１及び第２の流路切替え弁を有する１つの流路に設けられた前記第１浄水槽と前記第２浄水槽と、さらに、前記第２浄水槽の下流に配置されかつミネラル添加剤を有するミネラル添加槽に前記水道水を通過させるミネラル生成工程とを含み、前記イオン交換樹脂の再生時、前記第２浄水槽側の前記第１切換え弁を「閉」に切り換えると共に、排出管側の前記第２切換え弁を「開」の状態に切り換え、前記第１浄水槽内に塩を投入するか、又は塩水を入れるかのいずれかにより前記再生工程を行い、該再生工程後、前記水道水の水圧を利用して前記第１浄水槽内に水道を流しながら前記排出管を介して第１浄水槽内の再生水を排出することを特徴とする浄水方法。
【請求項２】
請求項１に於いて、再生工程では、持ち運びできる筒状容器本体と、この筒状容器本体の底部に形成された嵌合部に脱着自在に嵌着する栓部材からなる塩水給水容器、又は普通一般の薬缶のいずれか使用して、第１浄水槽の上部から再生用キャップを外してその給入口部、又は第１浄水槽の上部の流入口部のいずれかを利用して塩水を入れることを特徴とする浄水方法。
【請求項３】
イオン交換樹脂を有する第１浄水槽と、その下流に配置され、少なくとも活性炭又は中空糸膜のいずれかを濾過材とする第２浄水槽とを備え、前記第１浄水槽の濾過材が再生可能である浄水装置に於いて、前記浄水装置は、上端開口の箱型本体と、該箱型本体に開閉自在に設けられた蓋体とから成る可搬式のハウジングに内設されていると共に、水道水の蛇口に接続具を介して脱着する水道水供給管に接続すると共に、第１及び第２の流路切替え弁を有する１つの流路に設けられた前記第１浄水槽及び前記第２浄水槽と、さらに、前記第２浄水槽の下流に配置され、かつミネラル添加剤を有するミネラル添加槽とを含み、前記イオン交換樹脂の再生時、前記第２浄水槽側の前記第１切換え弁を「閉」に切り換えると共に、排出管側の前記第２切換え弁を「開」の状態に切り換え、また前記第１浄水槽に塩を投入するか、又は塩水を入れるかのいずれかにより、該第１浄水槽内を再生水の状態にし、再生後、水道水の水圧を利用して前記第１浄水槽内に前記水道水を流しながら前記排出管を介して第１浄水槽内の前記再生水を排出することを特徴とする浄水装置。
【請求項４】
請求項３に於いて、水道水供給管は、常時、可搬式のハウジングに内設されていることを特徴とする浄水装置。
【請求項５】
請求項３に於いて、ミネラル添加槽のミネラル剤は、交換可能であり、少なくとも調整された風化サンゴ、天然鉱石、バイオセラミック、カルシウム材とマグネシウム材を粒状或いは顆粒状にしたミネラル添加剤のいずれか一つ以上を含むことを特徴とする浄水装置。
【発明の詳細な説明】
【技術分野】
【０００１】  本発明は、家庭、宿泊施設、工場等の場で、水道水を利用する浄水方法及び浄水装置に関する。
【背景技術】
【０００２】  特許文献１の発明の課題は、井戸水等水に含まれる硝酸性窒素及び亜硝酸性窒素、及び細菌を除去し、安全で美味しい水を得る浄水器であって、塩化物イオン型の強塩基性陰イオン交換樹脂、活性炭及び中空糸膜を濾過材として用い、かつ陰イオン交換樹脂を容易に再生でき、陰イオン交換樹脂を繰り返し使用可能な浄水器を提供することにある。その解決するための手段は、「塩化物イオン型の強塩基性陰イオン交換樹脂を濾過材とする第１浄水槽と、その下流に配置された活性炭と中空糸膜を濾過材とする第２浄水槽とを備え、第１浄水槽をその濾過材が再生容易に装脱着可能に設置したこと」である。この特許文献１の浄水器は、逆浸透濾過法を用いる場合と比較すると、濾過に高水ポンプ等を使用しない、多量の捨て水を必要としない等の利点があることから、家庭用としては非常に実用的であるという利点がある。また陰イオン交換樹脂を用いているので、硬水を軟水化することができるという利点もある。さらに、イオン交換樹脂を再生するための再生容器（食塩水容器）を、第１浄水槽の上部の給水口に接続するので、重力を利用することができるという利点がある。【０００３】  しかしながら、上記浄水器は、一般の家庭のみならず、旅行先、宿泊施設等の所望する場所に手軽に持ち運べるものでいない、再生後、極力、労力を使用しないで、食塩水排出用のホースから、第１浄水槽内の満タン状態の食塩水を容易に排出することができない、再生処理後、切換え弁を切り換えて直ちに飲用水を取得することができない、ミネラル成分を含むおいしい水を得ることができない等の問題点があった。【０００４】  一方、特許文献２の生田式浄水器は、可搬式の小型のものである。この小型浄水器は、濾過装置として、交換式の逆浸透膜濾過装置（ＲＯ膜）とカートリッチ式のイオン交換樹脂槽を、可搬式の箱体に組み込み、主として旅行先に手軽に持ち運べるものであるが、前記濾過装置は交換する必要があった。また商業用電源、駆動ポンプ等を使用することから、高価であり、家庭向きとしては必ずしも十分なものではない。さらに、イオン交換樹脂槽を交換する必要があるので、メンテナンス費用が嵩む。    【０００５】  なお、特許文献３は、ミネラル調整水を得る水処理装置であるが、電解槽を利用するのであるから、直流電源、電極板等を使用するものであるから、ミネラル添加槽が複雑となるという問題点がある。したがって、幾つか改良すべき点があった。そこで、このような問題点を解決するために本発明が出現した。
【先行技術文献】
【特許文献】
【０００６】
【特許文献１】特開平９−４７７６１号公報
【特許文献２】特開２０１３−１０７０３１号公報
【特許文献３】特開平１１−２７７０７９号公報
【発明の概要】
【発明が解決しようとする課題】
【０００７】  本願発明の主たる目的は、蛇口が存在する家庭、宿泊施設、工場等の所望する場所に手軽に持ち運べると共に、水道水の水圧を利用することにより、浄水装置の構成を簡易化し、かつ、硬水を軟水化して「ミネラル成分を含むおいしい水」を得ることができることである。これに加えて、メンテナンスの際には一時的に稼動を停止する必要があるものの、イオン交換樹脂槽を交換する必要はなく、しかも、イオン交換樹脂を再生する際には、前記水道水の水圧を利用することにより、極力、労力がかからないようにすることである。
【課題を解決するための手段】
【０００８】  本発明の浄水方法は、原水としての水道水を、第１浄水槽内のイオン交換樹脂に通過させる第１濾過工程と、第１濾過工程で濾過された水道水を、前記第１浄水槽の下流に配置された第２浄水槽内の活性炭又は中空糸膜のいずれかに通過させる第２濾過工程とを含み、所望時に前記第１浄水槽内を塩水で所要時間満たして前記イオン交換樹脂を再生させる再生工程を加味した浄水方法に於いて、前記浄水方法に用いる浄水装置は、上端開口の箱型本体と、該箱型本体に開閉自在に設けられた蓋体とから成る可搬式のハウジングに内設されていると共に、前記水道水の蛇口に接続具を介して脱着する水道水供給管に接続すると共に、第１及び第２の流路切替え弁を有する１つの流路に設けられた前記第１浄水槽と前記第２浄水槽と、さらに、前記第２浄水槽の下流に配置されかつミネラル添加剤を有するミネラル添加槽に前記水道水を通過させるミネラル生成工程とを含み、前記イオン交換樹脂の再生時、前記第２浄水槽側の前記第１切換え弁を「閉」に切り換えると共に、排出管側の前記第２切換え弁を「開」の状態に切り換え、前記第１浄水槽内に塩を投入するか、又は塩水を入れるかのいずれかにより前記再生工程を行い、該再生工程後、前記水道水の水圧を利用して前記第１浄水槽内に水道を流しながら前記排出管を介して第１浄水槽内の再生水を排出することを特徴とする。【０００９】  また本発明の浄水装置は、イオン交換樹脂を有する第１浄水槽と、その下流に配置され、少なくとも活性炭又は中空糸膜のいずれかを濾過材とする第２浄水槽とを備え、前記第１浄水槽の濾過材が再生可能である浄水装置に於いて、前記浄水装置は、上端開口の箱型本体と、該箱型本体に開閉自在に設けられた蓋体とから成る可搬式のハウジングに内設されていると共に、家庭、工場、宿泊施設等に設置された蛇口に接続具を介して脱着する水道水供給管に接続すると共に、第１及び第２の流路切替え弁を有する１つの流路に設けられた前記第１浄水槽及び前記第２浄水槽と、さらに、前記第２浄水槽の下流に配置され、かつミネラル添加剤を有するミネラル添加槽とを含み、前記イオン交換樹脂の再生時、前記第２浄水槽側の前記第１切換え弁を「閉」に切り換えると共に、排出管側の前記第２切換え弁を「開」の状態に切り換え、また前記第１浄水槽に塩を投入するか、又は塩水を入れるかのいずれかにより、該第１浄水槽内を再生水の状態にし、再生後、水道水の水圧を利用して前記第１浄水槽内に前記水道水を流しながら前記排出管を介して第１浄水槽内の再生水を排出することを特徴とする。【００１０】  上記構成に於いて、水道水供給管及び排水管は、常時、可搬式のハウジングに内設されていることを特徴とする。またミネラル添加槽のミネラル剤は、少なくとも調整された風化サンゴ、天然鉱石、バイオセラミックス、カルシウム材とマグネシウム材を粒状或いは顆粒状にしたミネラル添加剤のいずれか一つ以上を含むことを特徴とする。本発明の前記ならびにそのほかの目的と新規な特徴は、次の説明を添付図面と照らし合わせて読むと、より完全に明らかになるであろう。ただし、図面はもっぱら解説のためのものであって、本発明の技術的範囲を限定するものではない。
【発明の効果】
【００１１】（ａ）独立請求項に記載の発明は、蛇口が存在する所望する場所に手軽に持ち運べると共に、水道水の水圧を利用することにより、浄水装置の構成を簡易化し、かつ、硬水を軟水化して「ミネラル成分を含むおいしい水」を得ることができる。これに加えて、メンテナンスの際には一時的に稼動を停止する必要があるものの、イオン交換樹脂槽を交換する必要はなく、しかも、イオン交換樹脂を再生する際には、前記水道水の水圧を利用することにより、極力、労力がかからないようにすることができる。（ｂ）請求項２に記載の発明は、塩水を漏らさないように入れることができる。（ｃ）請求項４に記載の発明は、水道水供給管は、常時、可搬式のハウジングに内設されているので、所望するとき、蛇口に直ぐ水道水供給管を接続することができる。（ｄ）請求項５に記載の発明は、常に硬水を軟水化して「ミネラル成分を含むおいしい水」を得ることができる。
【図面の簡単な説明】
【００１２】図１乃至図１１は本発明の第１実施形態を示す各説明図。図１２は本発明の再生工程の第２実施形態を示す説明図。【図１】蓋体を閉じた状態のハウジングの正面図。
【図２】蓋体を開いた状態のハウジングの斜視図。
【図３】ハウジングの内部に収納される各部の概略説明図。
【図４】ハウジングの内部に設けられた各部の概略説明図。
【図５】全体の概念図。
【図６】第１浄水槽の一例を示す概略説明図。
【図７】第２浄水槽の一例を示す概略説明図。
【図８】ミネラル添加槽の一例を示す概略説明図。
【図９】再生時に使用される塩水容器の一例を示す概略説明図。
【図１０】塩水容器を第１浄水槽の上端部に嵌合した再生工程の説明図。
【図１１】再生後、第１浄水槽内の塩水を排出する工程の概略説明図。
【図１２】第２実施形態の再生工程の説明図（塩水容器の下端部に水道水供給管の接続具を接続したもの）。
【図１３】本発明の浄水方法の一例を示す工程図。
【符号の説明】
【００１３】Ｘ…浄水装置、Ｗ…水道水、ＭＷ…ミネラル水、Ｓ…塩水、Ａ…第１濾過工程、Ｂ…第２濾過工程、Ｃ…ミネラル水生成工程、Ｄ…再生工程、Ｌ…一つの流路、１…ハウジング、１ａ…箱型本体、１ｂ…ケース状蓋体、２…接続具、３…水道水供給管（第１の接続ホース）、４…第１浄水槽、５…流入口部、６…流出口部、８…第２の接続ホース、９…継手、１１…第１流路切替え弁、１２…第２流路切替え弁、１３…第３の接続ホース、１４…第２浄水槽、１５…流入口部、１６…流出口部、１７…第４の接続ホース、１８…ミネラル添加槽、２２…排水管、２５…蛇口、２６…蛇口の先端部、３１…イオン交換樹脂、３３…濾過材、３５…ミネラル添加剤、５０、５０Ａ…塩水容器。
【発明を実施するための最良の形態】
【００１４】  図１乃至図１１は、本発明の第１実施形態の浄水装置Ｘである。まず、図３の概念図及び図５の全体図を参照にして、浄水装置Ｘの各部を簡単に説明する。【００１５】  １は箱型本体１ａとケース状蓋体１ｂとから成る直方体のハウジング、２は自由端部に短筒状の接続具３を有する水道水供給管（第１接続ホース）、４は上端部に流入口部５と流出口部６を有すると共に、該上端部から突出する首状部に取外し可能に螺着或いは嵌着する再生用キャップ７を有する第１浄水槽、８は流路Ｌの中途部にチーズ継手９を有する第２の接続ホース、１１は前記チーズ継手９の一方端部に設けられた第１切換え弁、１２は前記チーズ継手９の他方端部に設けられた第２切換え弁、１４は前記第１切換え弁１１に第３の接続ホース１３を介して、その流入口部１５が接続する第２浄水槽、１８は前記第２浄水槽１４の流出口部１６に第４の接続ホース１７を介して、その流入口部１９が接続する縦長筒状のミネラル添加槽、２１は前記ミネラル添加槽１８の流出口部２０に接続するミネラル水取得用の流出ホース、そして、２２は前述した第２切換え弁に接続する排出管（第５の接続ホース）である。【００１６】  したがって、実施形態の洗浄装置Ｘは、ハウジング１と、水道水供給管２と、第１浄水槽４と、第２浄水槽１４と、ミネラル添加槽１８と、第１乃至第５の接続ホース２、８、１３、１７、２１とから成り、第１の接続ホースとしての前記水道水供給管２から、第５の接続ホースとしての排出管２２は、処理水を案内する配水管として「一つの流路Ｌ」を構成している。【００１７】  図３に於いて、２５は一般の住宅、宿泊施設等に配置された水道水用の蛇口である。したがって、その切替え用ハンドル２６を操作して蛇口の止栓を開くと、周知のように、水圧によって水道水が流れ出る。実施形態の洗浄装置Ｘを使用して飲料水を取得する場合には、前記蛇口２５の先端部２７に第１接続ホース２の接続具３を適宜に接続する。このように浄水装置Ｘは、原水として水道水を利用する。【００１８】  さて、浄水装置Ｘのハウジング１は、アルミニウム又はジュラルミン製の収納ケースである。ハウジング１は旅行用トランクと同様である。図１及び図２を参照にしてハウジング１の構成を説明すると、ハウジング１は、全体として六面を有する直方体に形成され、片手又は両手で持ち運び可能である。図１は蓋体を閉じた状態のハウジング１の正面図である。一方、図２は蓋体を開いた状態のハウジング１の斜視図である。この図２で示すように、ハウジング１は、上端開口の箱型本体１ａと、該箱型本体に複数の蝶番３を介して開閉自在に設けられたケース状蓋体１ｂとから成り、前記箱型本体１ａの底は、例えば普通一般の旅行ケースと比較すると、略二倍程度の深さがある。しかしながら、実施形態では、電源、駆動ポンプ、制御部等を有しないので、普通一般の旅行ケースよりも小型化することができる。【００１９】  図１を基準にすると、ケース状蓋体１ｂの左右の側壁の略中央部には、左右一対の回転式把手１ｄが軸支されている。また箱型本体１ａ及びケース状蓋体１ｂの開口端部（各縁部）には、左右一対の止め金具１ｅが設けられている。なお、特に図示しないが、例えば箱型本体１ａの一側壁或いは底壁の四隅に合計４個の自在キャスターを設けても良い。ケース状蓋体１ｂ内に、第１の接続ホース２を支持する複数個の支持具（バンド類も含む）１０が設けられている。一方、箱型本体１ａ内に、少なくとも、第１浄化槽４と、第２浄化槽１４と、ミネラル添加槽１８が横状態或いは縦状態に併設されている。なお、図５で示すように、ハウジング１を、「縦の状態」にした場合には、第１浄化槽４等は縦状態となるので、流入口部５、流出口部６及び再生用キャップ７は、上端部に位置することになる。【００２０】  実施形態では、前記第２浄水槽１４は、第１浄水槽４よりも下流に配置され、かつ、第１浄水槽４と第２浄水槽１４を接続する流路に設けられた第１流路切替え弁１１よりも下流に配置されている。そして、少なくとも第１浄化槽４は、正面視、複数本の帯状の第１支持手段４１で支持されている。実施形態では第１支持手段４１は上下方向に所定間隔を有して、合計２本設けられており、これらの第１支持手段４１は、左右一対の「いわゆる面フアスナー」であり、それぞれオス・メスの係着手段を介して開閉可能である。【００２１】  したがって、再生時、第１支持手段４１のオス・メスの係着を解き、箱型本体１ａ内から第１浄水槽４を外（手前）へと移動させることができる。また第２浄水槽１４も正面視、単数又は複数本の帯状第２支持手段（例えば面フアスナー）４２で支持されている。このように箱型本体１ａ内に浄水装置を構成する第１浄化槽４と、第２浄化槽１４と、ミネラル添加槽１８は、ハウジング１内に横或いは縦状態に併設し、一方、ケース状蓋体１ｂ内の複数個の支持具１０以外の部分は、所望する物を入れるスペースであることから、この実施形態では、旅行ケースの如く、袋状の収納部４３をその内壁面に一体的に設けている。【００２２】  さて、例えば図３で示すようによ、浄水装置Ｘを構成する濾過手段は、水道水用の蛇口２５の先端部にクイックジョイント式の筒状接続具３が接続する水道水供給管（第１の接続ホース）２及び流出ホース（第５の接続ホース）２１を含む１つの流路Ｌに設けられ、かつ、第１タンク本体３０内にイオン交換樹脂３１を有する第１浄水槽４と、前記一つの流路Ｌに配置され、かつ、第２タンク本体３２内に濾過材３３を有する第２浄水槽１４と、前記流路Ｌに配置され、かつ、第３タンク本体３４内にミネラル添加剤３５を有するミネラル添加槽１８とから成る。【００２３】  そして、前記イオン交換樹脂３１を再生するときは、第１・第２の流路切替え弁１１，１２を手動で適宜に切替え、第１浄水槽４内に再生水（塩水）Ｓを満たすと共に、前記再生水Ｓを前記第１浄水槽４から排出するときは、チーズ継手９の他端部に接続する排水管（塩水排出用ホース）２２を介して前記再生水（塩水）Ｓを外部に放出することができる。【００２４】  ここで「濾過手段」について、さらに付言する。この第１浄水槽４は、実施形態では、図６で示すように、円筒状の第１タンク本体３０と、この第１タンク本体に内設されたイオン交換樹脂３１とから成り、前記第１タンク本体３０は、上部の流入口部５と上部の流出口部６を有している。前記イオン交換樹脂３１は塩化物イオン型の強塩基性陰イオン交換樹脂が望ま��く、この塩化物イオン型強塩基性陰イオン交換樹脂により、水道水Ｗに含まれる硝酸性窒素及び亜硝酸性窒素がイオン交換によって除去される。このように第１浄水槽４のイオン交換樹脂３１は、水道水のｐＨに左右されずに中性塩を分解することが可能な陰イオン交換樹脂である。なお、この第１浄水槽４は、第１タンク本体３０内にイオン交換樹脂３１のみを内装する場合するのみならず、該イオン交換樹脂と共に、重金属吸着剤であるセラミックス系吸着剤等を併存していても良い。【００２５】  次に、第１浄水槽４の上部の流入口部５から入った水道水Ｗは、陰イオン交換樹脂３１を通過して上部の流出口部６から出て行くが、この第１浄水槽４を通過した水道水Ｗは、第２の接続ホース８、継手９、第３の接続ホース１３を通過して第２浄水槽１４の流入口部１５へと流れ込む。【００２６】  しかして、この第２浄水槽１４の濾過材３３は、図７で示すように、少なくとも活性炭３３ａと、中空糸膜３３ｂのいずれか一つを含むものである。実施形態では、第２浄水槽１４は、円筒状の第２タンク本体３２と、この第２タンク本体の略中央部に内設された中空糸膜３３ｂと、この中空糸膜の周胴部外面と前記第２タンク本体３２の内面に充填され、かつ、繊維状或いは粒状に調整された活性炭３３ａと、さらに、より好ましくは繊維状或いは粒状に調整されたバイオセラミックス３３ｃとから成る。【００２７】  この第２浄水槽１４においては、活性炭３３ａにより、水道水に含まれる臭気、着色成分、その他の有機物、イオン交換樹脂により溶出した分解物、低分子物質等が吸着除去され、さらに中空糸膜３３ｂにより、細菌類、微細な懸濁物等が除去され、安全で美味しい水を得ることができる。【００２８】  ところで、この第２浄水槽１４に用いる活性炭３３ａは、通常浄水器に使用しうる活性炭であれば、特に制限されるものではなく、ヤシガラ炭、骨炭、木炭等の天然物活性炭、ピッチ系、石油コークス系、樹脂またはゴム系等の合成活性炭等が挙げられ、活性炭の賦活も水蒸気賦活法、化学的賦活法等任意の方法によってもよい。また、粉末状、粒状、繊維状等のいずれの形態であってもよい。【００２９】  さらに、活性炭３３ａは、銀等の抗菌性金属をメッキ等により添着されたものであってもよい。また第２浄水槽１４に用いる中空糸膜３３ｂは、通常浄水器に使用しうる多孔質中空糸膜であれば、特に制限されるものではなく、セルロース系、ポリエチレン等のポリオレフィン系、ポリスルホン系、ポリビニルアルコール系等の素材からなる多孔質中空糸膜が用いられ、また、通水性の向上、再通水性を確保するためエチレン−ビニルアルコール共重合体等により中空糸膜１４ｂが親水化されていることは好ましいことである。この第２浄水槽１４を通過することにより、塩化物イオン型強塩基性陰イオン交換樹脂３３より溶出し、また含まれる分解物、低分子物質、着色成分、臭気成分、細菌、微細有害物質の除去を行ってより安全な水を得ることができる。【００３０】  最後に第２浄水槽１４を通過した水道水Ｗは、第４の接続ホース１７を介してミネラル添加剤を有するミネラル添加槽１８へと流れ込む。このミネラル添加槽１８のミネラル剤３５は、少なくとも粒状に調整された風化��ンゴ、天然鉱石、バイオセラミックス、カルシウム材とマグネシウム材を粒状或いは顆粒状にしたミネラル添加剤のいずれか１つ以上を含む。実施形態では、図１０で示すように、ミネラル添加槽１８は、第３タンク本体３４と、この第３タンク本体の流入口部１９から流出口部２０に向かって該第３タンク本体内に積層状態に設けられた粒状サンゴ３５ａと、粒状天然鉱石（例えば麦飯石）３５ｂと、粒状バイオセラミックス３５ｃ、その他のミネラル添加剤を含む。なお、このミネラル添加槽１８は、交換可能である。【００３１】  したがって、ミネラル添加槽１８を通過した水道水は、前記各種のミネラル添加剤３５からミネラル成分が溶出することにより、単なる綺麗な飲料水ではなく、硬水が軟水化し、かつ、ミネラル成分を含んだおいしいミネラル水ＭＷを流出ホース２１から得ることができる。【００３２】  次に図９は、再生時に使用される塩水容器５０の一例を示す概略説明図である。イオン交換樹脂３１を再生する場合には、再生水Ｓとして「塩水」を用いる。そこで、塩水Ｓが入っている塩水容器５０を用いる。実施形態の塩水容器５０は、持ち運びできかつ下端部寄りの部位を小径の段差状に形成し、その漏斗状下端部（嵌合部）５１ａとした筒状容器本体５１と、前記漏斗状下端部５１ａの内周面に密着状態かつ脱着自在に嵌着する栓部材５２からなる。なお、前記栓部材５２は、小皿状の栓部分５２ａと、この栓部分５２ａの上面中央部に下端部が固定されていると共に、上端部がフック状に形成された棒状体５２ｂとから成る。【００３３】  図１０は、塩水容器５０を第１浄水槽４の上端部に遊嵌合した再生工程の説明図である。イオン交換樹脂３１の再生時、第１浄水槽４をハウジング１の箱型本体１ａから取り出し、次に、第２浄水槽１４側の第１切換え弁１１を「閉」に切り換えると共に、排出管２２側の第２切換え弁１２を「開」の状態に切り換え、また再生用キャップ７を取り外して第１浄水槽４に塩を投入するか、又は塩水を入れるかのいずれかにより、該第１浄水槽４内を再生水の状態にする。実施形態では、再生用キャップ７を取り外して第１浄水槽４に塩水Ｓを入れる場合には、例えば塩水Ｓが入っている塩水容器５０を用いるのが好ましい。【００３４】  すなわち、図１０で示すように、塩水容器５０の漏斗状下端部（嵌合部）５１ａを第１浄水槽４の給入口部に嵌着するように差込み、次いで、棒状体５２ｂのフック状上端部を引き上げると、小皿状栓部分５２ａが嵌合部としての嵌合孔５１ａから離れるので、塩水容器５０の塩水Ｓは第１浄水槽４に流れ込む。なお、この場合、図示しいな普通一般の薬缶に塩水Ｓを入れ、該薬缶の注ぎ口から塩水Ｓを第１浄水槽４の給入口部に流し込んでも良い。【００３５】  上記のように第１浄水槽４内に塩水Ｓを入れるにしたがって、第１浄水槽４内に残存していた処理水は、第２の接続ホース８、第２切換え弁１２及び排出管２２を介して外部に放出される。そして、やがて、第１浄水槽４は塩水Ｓで満タン状態となる。そうしたならば、再生キュップを第１浄水槽４に嵌め、２０分〜３０分程度（所要時間）、そのまま放置の状態にする。【００３６】  次に図１１は、再生後、第１浄水槽４内の塩水Ｓを排出する工程の概��説明図である。所要時間経過後、満タン状態の塩水Ｓを第１浄水槽４から排出する必要がある。そこで、実施形態では、労力を省くために、蛇口２５の先端部２７に接続している水道水供給管３を利用する。そして、その切替えハンドル２６を操作して栓を開く。【００３７】  したがって、実施形態では、第１浄水槽４の給入口部５から水道水を入れる必要はなく、水道水の水圧を利用して前記第１浄水槽４内に水道水を流しながら、第２の接続ホース８、第２切換え弁１２及び排出管２２を介して第１浄水槽４内の再生水Ｓを排出することができる。このように第１浄水槽４内の再生水Ｓを排出したならば、第２浄水槽１４側の第１切換え弁１１を「開」に切り換えると共に、排出管２２側の第２切換え弁１２を「閉」の状態に切り換えると、直ちに「美味しいミネラル水」を得ることができる。【００３８】  それ故に、本発明の浄水方法の一例は、例えば図１３で示すように、原水としての水道水Ｗを、第１浄水槽４内のイオン交換樹脂３１に通過させる第１濾過工程Ａと、第１濾過工程で濾過された水道水を、前記第１浄水槽の下流に配置された第２浄水槽１４内の活性炭又は中空糸膜のいずれかに通過させる第２濾過工程Ｂとを含み、所望時に前記第１浄水槽４内を塩水Ｓで所要時間満たしながら前記イオン交換樹脂３１を再生させる再生工程Ｄを加味した浄水方法に於いて、前記浄水方法に用いる浄水装置Ｘは、上端開口の箱型本体１ａと、該箱型本体に開閉自在に設けられたケース状蓋体１ｂとから成る可搬式のハウジング１に内設されていると共に、前記水道水の蛇口２５に接続具３を介して脱着する水道水供給管２に接続すると共に、第１及び第２の流路切替え弁１１、１２を有する１つの流路Ｌに設けられた前記第１浄水槽４と前記第２浄水槽１４と、さらに、前記第２浄水槽１４の下流に配置されかつミネラル添加剤３５を有するミネラル添加槽１８のミネラル生成工程Ｃとを含む。【００３９】  そして、イオン交換樹脂３１の再生時、第２浄水槽１４側の第１切換え弁１１を「閉」に切り換えると共に、排出管２２側の第２切換え弁１２を「開」の状態に切り換え、また前記第１浄水槽４の上端部に設けた給水口を塞ぐ再生用キャップ７を取り外した後、前記給水口から該第１浄水槽内に塩を投入するか、又は塩水を入れるかのいずれかにより前記再生工程を行い、該再生工程後、前記水道水の水圧を利用して前記第１浄水槽内に水道Ｗを流しながら前記排出管２２を介して第１浄水槽内の再生水Ｓを排出する。【００４０】  なお、再生時、第１浄水槽内に塩水を入れる方法は、図１２に示すような方法であっても良い。この図１２に示す再生方法は、塩水容器５０Ａの下端部を蛇口２５の先端部と同じ形状（短径筒状部）にし、この短径筒状部５４に水道水供給管３Ａの自由端部のクイックジョイント方式の接続具２Ａを接続して前記塩水容器５０Ａ内の再生水Ｓを第１浄水槽内流し込むものである。つまり、塩水容器５０Ａの下端部に水道水供給管２Ａの接続具３Ａを接続した実施形態である。このように構成すると、第１浄水槽４の上端部に設けた給水口、再生用キャップ７を設ける必要が全くない。
【産業上の利用可能性】
【００４１】  本発明は、特に、家庭内、旅行先等で、水道水を利用してミネラル成分を含んだ美味しい水を得るときに使用される。
【図１】
2017109813.tif 000003
【図２】
2017109813.tif 000004
【図３】
2017109813.tif 000005
【図４】
2017109813.tif 000006
【図５】
2017109813.tif 000007
【図６】
2017109813.tif 000008
【図７】
2017109813.tif 000009
【図８】
2017109813.tif 000010
【図９】
2017109813.tif 000011
【図１０】
2017109813.tif 000012
【図１１】
2017109813.tif 000013
【図１２】
2017109813.tif 000014
【図１３】
2017109813.tif 000015
【国際調査報告】
2017109813.tif 000016
2017109813.tif 000017
2017109813.tif 000018
2017109813.tif 000019